(57)【特許請求の範囲】
【請求項１】
円板状の本体上に平面視扇形若しくは略扇形の突起体が２つ、その曲面状側面部を本体側面側に向けて配設され、これら突起体が各々有する２つの平面状側面部の一方が背板厚より大きな間隔で平行配置され、他方の平面状側面部の少なくともいずれか一方に爪部が突設され、かつ一方の突起体に工具の差し込みを可能とした凹部が設けられていることを特徴とする背板取付金具。
【請求項２】
２つの突起体において平行配置される平面状側面部ではない他方の平面状側面部の内、一方の平面状側面部に爪部が突設される場合には、その平面状側面部が、他方の平面状側面部に対する平行線から外側に離れるように傾き、２つの突起体において平行配置される平面状側面部ではない他方の平面状側面部の両方に爪部が突設される場合には、いずれか一方の平面状側面部が、他方の平面状側面部に対する平行線から外側に離れるように傾いている請求項１記載の背板取付金具。
【請求項３】
天板、地板、及び側板の背板接合箇所の所定位置に開けられた下穴に請求項１又は２記載の背板取付金具を埋め込んだ後、背板取付金具の２つの突起体において平行配置された平面状側面部間に背板を挿入し、次いで一方の突起体に設けられた凹部に工具を差し込み、背板取付金具を回動させ、爪部を背板の前後面の少なくとも一方に食い込ませて背板を取付固定することを特徴とする背板取付方法。
【発明の詳細な説明】
【０００１】
【発明の属する技術分野】
この出願の発明は、背板取付金具とこれを用いた背板取付方法に関するものである。さらに詳しくは、この出願の発明は、収納キャビネットなどの箱物商品において、背板を簡便に、しかも一定の仕上がり品質で取り付けることのできる背板取付金具とこれを用いた背板取付方法に関するものである。
【０００２】
【従来の技術】
収納キャビネットなどの箱物商品は、図４＜ａ＞＜ｂ＞に示したように、天板（４１）、側板（４２）、地板（４３）、そして背板（４４）から本体が箱状に組み立てられる。この組み立てに際し、背板（４４）は、Ｌ型固定具が使用され、天板（４１）、側板（４２）、及び地板（４３）との間でネジ止めされ、あるいは背板（４４）の裏面より天板（４１）、側板（４２）、及び地板（４３）に向けてスクリューネイルなどの固定具が斜め打ちされて取り付けられるのが一般的であった。
【０００３】
【発明が解決しようとする課題】
しかしながら、前者のＬ型固定具を用いたネジ止めは施工に手間がかかるという問題があり、後者のスクリューネイルなどの固定具の斜め打ちは施工者の技巧に負うところが大きく、仕上がり品質が一定しないという問題があった。
【０００４】
この出願の発明は、以上の通りの事情に鑑みてなされたものであり、収納キャビネットなどの箱物商品における背板の取り付けについての以上の欠点を解消し、背板を簡便に、しかも一定の仕上がり品質で取り付けることのできる背板取付金具とこれを用いた背板取付方法を提供することを目的としている。
【０００５】
【課題を解決するための手段】
この出願の発明は、前記の課題を解決するものとして、円板状の本体上に平面視扇形若しくは略扇形の突起体が２つ、その曲面状側面部を本体側面側に向けて配設され、これら突起体が各々有する２つの平面状側面部の一方が背板厚より大きな間隔で平行配置され、他方の平面状側面部の少なくともいずれか一方に爪部が突設され、かつ一方の突起体に工具の差し込みを可能とした凹部が設けられていることを特徴とする背板取付金具（請求項１）を提供する。
【０００６】
この背板取付金具に関し、この出願の発明は、２つの突起体において平行配置される平面状側面部ではない他方の平面状側面部の内、一方の平面状側面部に爪部が突設される場合には、その平面状側面部が、他方の平面状側面部に対する平行線から外側に離れるように傾き、２つの突起体において平行配置される平面状側面部ではない他方の平面状側面部の両方に爪部が突設される場合には、いずれか一方の平面状側面部が、他方の平面状側面部に対する平行線から外側に離れるように傾いていること（請求項２）を好ましい態様として提供する。
【０００７】
また、この出願の発明は、天板、地板、及び側板の背板接合箇所の所定位置に開けられた下穴に以上の背板取付金具を埋め込んだ後、背板取付金具の２つの突起体において平行配置された平面状側面部間に背板を挿入し、次いで一方の突起体に設けられた凹部に工具を差し込み、背板取付金具を回動させ、爪部を背板の前後面の少なくとも一方に食い込ませて背板を取付固定することを特徴とする背板取付方法（請求項３）を提供する。
【０００８】
以下、図面に沿ってこの出願の発明の背板取付金具とこれを用いた背板取付方法についてさらに詳しく説明する。
【０００９】
【発明の実施の形態】
図１＜ａ＞＜ｂ＞＜ｃ＞＜ｄ＞は、それぞれ、この出願の発明の背板取付金具の一実施形態を示した平面図、Ａ方向から見た側面図、Ｂ方向から見た側面図、要部側面図である。
【００１０】
たとえばこの図１＜ａ＞＜ｂ＞＜ｃ＞＜ｄ＞に示したように、この出願の発明の背板取付金具には、円板状の本体（１）上に平面視扇形若しくは略扇形の２つの突起体（２ａ）（２ｂ）が配設されており、これら突起体（２ａ）（２ｂ）の曲面状側面部（３）は、本体側面（４）側に向けて配置されている。突起体（２ａ）（２ｂ）が各々有する２つの平面状側面部の一方（５ａ）は、図４に例示される背板（４４）の厚みより大きな間隔（ｔ）で平行に配置され、他方の平面状側面部（５ｂ）には、少なくともいずれか一方に爪部（６）が突設されている。
【００１１】
また、この出願の発明の背板取付金具には、一方の突起体、すなわちこの実施形態では突起体（２ｂ）に、工具の差し込みを可能とした凹部（７）が設けられる。
【００１２】
以上の背板取付金具は、図４に例示したような収納キャビネットなどの箱物商品において天板（４１）、側板（４２）、及び地板（４３）に背板（４４）を取り付ける際に使用されるものであり、その際には、図２＜ａ＞＜ｂ＞に示したように、背板（４４）を接合する天板（４１）、側板（４２）、及び地板（４３）の接合箇所の所定位置に下穴（２１）が開けられる。この下穴（２１）は、天板（４１）、側板（４２）、及び地板（４３）の生産工場であらかじめ形成可能である。天板（４１）、側板（４２）、及び地板（４３）における背板（４４）の接合箇所は、一般に、図２＜ａ＞に示したようなそれら各々の一側端部であり、通常ここには背板（４４）の差し込みを可能とした溝部（２２）がしばしば形成される。この場合、下穴（２１）は、溝部（２２）に重なり合うように形成することができる。
【００１３】
この下穴（２１）に図１＜ａ＞＜ｂ＞＜ｃ＞＜ｄ＞に例示した背板取付金具を埋め込む。図２＜ａ＞＜ｂ＞に示したように、天板（４１）、側板（４２）、及び地板（４３）に溝部（２２）が形成される場合には、背板取付金具は、２つの突起体（２ａ）（２ｂ）において平行配置された平面状側面部（５ａ）が、その溝部（２２）に対し平行となるように配置する。
【００１４】
この後、図３＜ａ＞に示したように、背板取付金具の平行配置された平面状側面部（５ａ）間に背板（４４）を挿入する。平面状側面部（５ａ）間の間隔（ｔ）は、前述の通り、背板（４４）の厚み（ｗ）より大きくされているため、背板（４４）の挿入は容易である。
【００１５】
次いで、一方の突起体（２ｂ）に設けられた凹部（７）に工具を差し込み、背板取付金具を図２＜ｂ＞に示したように回動させる。この背板取付金具の回動により、爪部（６）が背板（４４）の前後面の少なくとも一方に食い込み、背板（４４）が、天板（４１）、側板（４２）、及び地板（４３）に取付固定される。
【００１６】
このようにこの出願の発明の背板取付金具とこれを用いた背板取付方法では、ネジ止めの必要がないため、手間がかからず、背板（４４）を簡便に天板（４１）、側板（４２）、及び地板（４３）に取り付けることができる。また、取り付けに際しては、工具を一方の突起体（２ｂ）に設けられた凹部（７）に差し込み、背板取付金具を回動させるだけの操作ですむため、背板（４４）の取り付けに特段の技巧を要さない。したがって、背板（４４）の取り付けは一定品質で実現される。
【００１７】
背板取付金具を回動させる工具としては、汎用のプラスドライバーが好ましく例示される。この場合、凹部（７）にはプラスドライバーに対応した平面視プラス形状の溝（８）を形成する。プラスドライバーの差し込みを容易とするためには、凹部（７）は、図１＜ｄ＞に示したように、溝（８）の上端部に曲面状の窪み（９）を設けることが好ましい。また、溝（８）は単にプラス形状とするばかりでなく、その中心部に丸穴（１０）を形成することも好ましく、この場合には、プラスドライバーを溝（８）の直上ばかりでなく、斜め方向からも差し込めるようになり、操作性が向上する。
【００１８】
なお、この出願の発明の背板取付金具では、図１＜ａ＞に示したように、２つの突起体（２ａ）（２ｂ）において平行配置される平面状側面部（５ａ）ではない他方の平面状側面部（５ｂ）の内、一方の平面状側面部（５ｂ）に爪部（６）が突設される場合には、その平面状側面部（５ｂ）を他方の平面状側面部（５ｂ）に対する平行線から外側に角度（Ｒ）だけ離れるように傾け、２つの突起体（２ａ）（２ｂ）において平行配置される平面状側面部（５ａ）ではない他方の平面状側面部（５ｂ）の両方に爪部（６）が突設される場合には、いずれか一方の平面状側面部（５ｂ）を他方の平面状側面部（５ｂ）に対する平行線から外側に角度（Ｒ）だけ離れるように傾ける。このように、爪部（６）が配設される方の平面状側面部（５ｂ）を平行からわずかにずらすことにより、図３＜ｂ＞に示したような爪部（６）の食い込みを確実とすることができる。背板（４４）及び背板取付金具を埋め込む図２に示した下穴（２１）には加工誤差が生じることが少なくない。この加工誤差にともない、図３＜ａ＞に示した背板取付金具における背板（４４）の挿入位置はばらつく。このばらつきが、爪部（６）が配設される方の平面状側面部（５ｂ）を他方の平面状側面部（５ｂ）に対する平行線から外側に角度（Ｒ）だけ離れるように傾けることにより吸収され、爪部（６）の食い込みが確実となり、背板（４４）はしっかりと固定される。角度（Ｒ）の大きさは、背板（４４）の挿入位置の±0.6mmのばらつきに対して７°程度が例示される。この角度（Ｒ）を大きくとることにより、より大きな背板（４４）の挿入位置のばらつきに対応可能となる。
【００１９】
また、爪部（６）は、耐荷重（すなわち地板（４３）が抜けるまでの負荷）を大きくするには、以下に示すように、２つ突起体（２ａ）（２ｂ）の双方に設けるのが好ましい。表１は、この出願の発明の背板取付金具を用いて背板を取り付けた収納キャビネットと従来品の耐荷重を比較実験した結果である。
【００２０】
【表１】
0003882492.tif 000002
【００２１】
この表１に示したように、２つの突起体（２ａ）（２ｂ）の双方に爪部（６）を設ける場合には、従来品と遜色のない強度を有する収納キャビネットなどの箱物商品が実現される。たとえば地板（４３）の落下が懸念される天袋などに有効となる。勿論、据え置きされるなど、地板（４３）の抜けが問題とされない場合には、爪部（６）は、突起体（２ａ）（２ｂ）のいずれか一方に配設することができる。また、より耐荷重を大きくするために、爪部（６）を平面状側面部（５ｂ）に２つ以上の複数配設することも可能である。
【００２２】
さらにこの出願の発明の背板取付金具には、図１＜ａ＞＜ｂ＞＜ｃ＞に示したように、２つの突起体（２ａ）（２ｂ）における曲面状側面部（３）に外側に突出する楔部（１１）を単数若しくは複数設けることができる。この楔部（１１）は、背板取付金具の回動により次第に天板（４１）、側板（４２）、及び地板（４３）に設けた下穴（２１）の内周面に食い込み、背板取付金具の抜け外れを防止する。その形状としては、図１＜ｃ＞に示したように、下縁から上縁に向かって突出するものが例示される。
【００２３】
さらにまたこの出願の発明の背板取付金具では、２つの突起体（２ａ）（２ｂ）において平行配置される平面状側面部（５ａ）の一方、すなわち図１＜ａ＞＜ｂ＞＜ｃ＞＜ｄ＞に示した実施形態では突起体（２ｂ）の平面状側面部（５ａ）に、上縁から下縁にかけて内側に傾斜する傾斜面（１２）を形成することもできる。たとえば図３＜ｂ＞に示した背板（４４）の取付固定状態において、背板取付金具の不意の回動を規制するために、回動規制部材を背板（４４）と平面状側面部（５ａ）との間に挟み込むことが考えられるが、平面状側面部（５ａ）に傾斜面（１２）を形成することにより、挟み込む回動規制部材が抜け外れにくくなり、背板取付金具の回動規制がより確実となる。
【００２４】
勿論、この出願の発明は、以上の実施形態によって限定されるものではない。背板取付金具の使用個数は、背板の長さ及び高さに応じて適宜定めることができ、また、突起体をはじめ、爪部及び凹部の形状、構造などの細部については様々な態様が可能であることは言うまでもない。
【００２５】
【発明の効果】
以上詳しく説明した通り、この出願の発明によって、収納キャビネットなどの箱物商品における背板の取り付けが簡便に、しかも一定の仕上がり品質で実現される。
【図面の簡単な説明】
【図１】＜ａ＞＜ｂ＞＜ｃ＞＜ｄ＞は、それぞれ、この出願の発明の背板取付金具の一実施形態を示した平面図、Ａ方向から見た側面図、Ｂ方向から見た側面図、要部側面図である。
【図２】＜ａ＞＜ｂ＞は、それぞれ、背板を取り付ける天板、側板、及び地板を例示した平面図、切欠側面図である。
【図３】＜ａ＞＜ｂ＞は、それぞれ、図１に示した背板取付金具を用いた背板取り付けのプロセスを示した要部平面図である。
【図４】＜ａ＞＜ｂ＞は、それぞれ、箱物商品である収納キャビネットを例示した正面図、Ａ−Ａ断面図である。
【符号の説明】
１    本体
２ａ、２ｂ    突起体
３    曲面状側面部
４    本体側面
５ａ、５ｂ    平面状側面部
６    爪部
７    凹部
８    溝
９    窪み
１０    丸穴
１１    楔部
１２    傾斜面
２１    下穴
２２    溝部
４１    天板
４２    側板
４３    地板
４４    背板
【図１】
0003882492.tif 000003
【図２】
0003882492.tif 000004
【図３】
0003882492.tif 000005
【図４】
0003882492.tif 000006